(57)【要約】      （修正有）【課題】コストアップを極力抑えつつ、夜間照明における演出効果を従来よりも一層高めることができ、かつ路面なども同時に照明することができるアッパーライトを提供する。【解決手段】地表近傍に保持される器具本体１を有し、この器具本体１は、ケース５内に上方照明用の光源６が配設されるとともに、ケース５の光源６と対向する上部には光透過用の第１のカバー部材１５が、またケース５の周側部には光透過用の第２のカバー部材１７がそれぞれ設けられ、かつ、第１のカバー部材１５の光透過率は、第２のカバー部材１７の光透過率よりも小さくなるように設定されている。【選択図】図１
2010033829.tif 000002
【特許請求の範囲】
【請求項１】
地表近傍に保持される器具本体を有し、この器具本体は、ケース内に上方照明用の光源が配設されるとともに、前記ケースの前記光源と対向する上面部に光透過用の第１のカバー部材が、また前記ケースの周側部に光透過用の第２のカバー部材がそれぞれ設けられ、かつ、前記第１のカバー部材の光透過率は、前記第２のカバー部材の光透過率よりも小さいことを特徴とするアッパーライト。
【請求項２】
前記第１のカバー部材の光反射率は、前記第２のカバー部材の光反射率よりも大きいことを特徴とする請求項１記載のアッパーライト。
【発明の詳細な説明】
【技術分野】
【０００１】
本発明は、地表近くに配置した光源から上方に向けて光を出射して各種の建造物や樹木などを照明するようにしたアッパーライトに関する。
【背景技術】
【０００２】
夜間照明における演出効果を高めるために、従来より、地表近くに配置した光源から上方に向けて光を出射して各種の建造物や樹木などを照明するようにしたアッパーライトが使用されている。
【０００３】
このように、従来のアッパーライトは、上方に向けて各種の建造物や樹木を照明することを主眼としているので、アッパーライトの光源を覆うカバー自体は発光しない構造となっている。
【０００４】
したがって、従来のアッパーライトを例えば歩道の路肩に沿って複数設置したような場合、アッパーライトのカバー自体は発光しないので、夜間照明における演出効果を高める上で未だ不十分な面があるとともに、路面を同時に照明することができないので、かえってアッパーライトの設置箇所近傍の路面が暗くなってしまい、歩行に支障をきたすことがある。
【０００５】
アッパーライトの設置箇所近傍の路面を明るくするためには、例えば、下記の特許文献１に記載されているように、アッパーライトとは別個に路面照明専用の光源を設けることが考えられる。
【特許文献１】特開２００２−３２４４１１号公報
【発明の開示】
【発明が解決しようとする課題】
【０００６】
しかし、アッパーライトとは別個に、その設置箇所近傍に路面照明専用の光源を設けることは、余分な手間を要するとともにコストアップとなる。
【０００７】
本発明は、上記の課題を解決するためになされたもので、コストアップを極力抑えつつ、夜間照明における演出効果を従来よりも一層高めることができ、かつ、路面なども同時に照明することができるアッパーライトを提供することを目的とする。
【課題を解決するための手段】
【０００８】
上記の目的を達成するために、請求項１記載の発明に係るアッパーライトは、地表近傍に保持される器具本体を有し、この器具本体は、ケース内に上方照明用の光源が配設されるとともに、前記ケースの前記光源と対向する上面部に光透過用の第１のカバー部材が、また前記ケースの周側部に光透過用の第２のカバー部材がそれぞれ設けられ、かつ、前記第１のカバー部材の光透過率は、前記第２のカバー部材の光透過率よりも小さいことを特徴としている。
【０００９】
また、請求項２記載の発明に係るアッパーライトは、請求項１記載の発明の構成において、前記第１のカバー部材の光反射率は、前記第２のカバー部材の光反射率よりも大きいことを特徴としている。
【発明の効果】
【００１０】
請求項１記載の発明によれば、光透過用の第１のカバー部材の光透過率は、第２のカバー部材の光透過率よりも小さいが、光源から上方に向けて照射された光は第１のカバー部材を透過して外部に出射されることになり、各種の建造物や樹木などを照明するという本来の機能を十分に発揮することができる。それと同時に、光源からの光の一部は第１のカバー部材やケース内壁で反射された後、ケースの周側部に設けられて光源と対向しない第２のカバー部材を透過して外部に出射されるので、第２のカバー部材自体も発光する。このため、夜間照明における演出効果を高めることができるとともに、路面なども同時に照明することができる。しかも、一つの光源を上部照明と路面照明とに兼用できるため、アッパーライトとは別個に路面照明専用の光源を設ける必要がなく、コストアップを極力抑えつつ実現することが可能となる。
【００１１】
また、請求項２記載の発明によれば、第１のカバー部材の光反射率は、第２のカバー部材の光反射率よりも大きいので、光源からの光の一部は第１のカバー部材によって効率良く反射されるため、第２のカバー部材を有効に発光させることができる。
【発明を実施するための最良の形態】
【００１２】
以下、本発明の実施の形態について、図面を参照して詳細に説明する。図１は本発明の実施の形態におけるアッパーライトの側面断面図、図２は同アッパーライトの一部を切り欠いて示す部分平面図、図３は同アッパーライトの一部を切り欠いて示す部分正面図である。
【００１３】
この実施の形態のアッパーライトは、地表近傍に保持される器具本体１を備え、この器具本体１は、地面２から立設された支柱３およびこの支柱３から垂下された取付支持棒４を介して固定されている。この場合、器具本体１は、例えば地表から１ｍ以内の高さに設置され、後述の光源６から上方に向けて光を出射して各種の建造物や樹木などを照明するようになっている。
【００１４】
ここに、上記の器具本体１は、略箱型のケース５を備え、このケース５内に上方照明用の光源６が配設されている。光源６は、略椀形のフード部材９を備え、このフード部材９内に例えば高輝度放電灯などのランプ１０が設けられて構成されており、フード部材９の一端部が取付支持棒３にネジ１２で揺動可能に取り付けられている。そして、フード部材９は、その湾曲内面が反射鏡として形成され、また、フード部材９の上面開口側にはガラス等でできた透明板１１が取り付けられている。
【００１５】
一方、ケース５は、例えば樹脂成形品やアルミダイカスト品からなるもので、光源６の上面と対向する上部に光透過用の第１のカバー部材１５が固定具１６によって取り付けられており、また、ケース５の周側部の４面はそれぞれ光透過用の第２のカバー部材１７が設けられている。この場合、第１、第２のカバー部材１５，１７は、共に例えば厚さが３ｍｍ程度の透明アクリル樹脂等からなる平板状のものが用いられている。第１のカバー部材１５の光透過率は、第２のカバー部材１７の光透過率よりも小さくなるようにされている。ただし、第１のカバー部材１５その材料自体の光透過率は、第２のカバー部材１７の光透過率よりも大きくなるように、各材料が選定されている。
【００１６】
しかも、第１のカバー部材１５の光反射率は、第２のカバー部材１７の光反射率よりも大きくなるように設定されている。この場合、第２のカバー部材１７については光反射率調整のための特別な加工はせず、第１のカバー部材１５について、例えば、その表面に反射用の白色塗料からなる微細なドットパターン（図示せず）を印刷等によって形成し、その際のドットパターンの配置密度を適宜設定することによってその光反射率が調整される。なお、ドットパターンを形成する代わりに、例えば透明アクリル樹脂に対してシリカ粉末の混入割合を変えることで、光反射率を調整することも可能である。
【００１７】
このように、この実施の形態のアッパーライトは、光透過用の第１のカバー部材１５その材料自体の光透過率は、第２のカバー部材１７の光透過率よりも大きいので、光源６から上方に向けて照射された光は第１のカバー部材１５を透過して外部に出射されることになり、各種の建造物や樹木などを上方照明するという本来の機能を十分に発揮することができる。それと同時に、第１のカバー部材の光透過率は、第２のカバー部材の光透過率よりも小さいので、光源６からの光の一部は第１のカバー部材１５やケース５の内面で反射された後、第２のカバー部材１７を透過して外部に出射され、第２のカバー部材１７自体も発光する。このため夜間照明における演出効果を高めることができるとともに、路面なども同時に照明することができる。しかも、一つの光源６を上部照明と路面照明とに兼用できるため、アッパーライトとは別個に路面照明専用の光源を設ける必要がなく、コストアップを極力抑えつつ実現することが可能となる。
【００１８】
また、第１のカバー部材１５の光反射率は、第２のカバー部材１７の光反射率よりも大きいので、光源６からの光の一部は第１のカバー部材１５によって効率良く反射されることになり、第２のカバー部材１７を有効に発光させることができる。
【００１９】
なお、この実施の形態では、第１、第２のカバー部材１５，１７は、アクリル樹脂等のプラスチック製の平板で構成されるものとしたが、ガラス製のものでも可能である。また、この実施の形態では、ケース５の底板は不透明のものとしているが、第２のカバー部材１７と同様の材質で形成してケース５全体が発光するようにすることも可能である。
【図面の簡単な説明】
【００２０】
【図１】本発明の実施の形態におけるアッパーライトの側面断面図である。
【図２】同アッパーライトの一部を切り欠いて示す部分平面図である。
【図３】同アッパーライトの一部を切り欠いて示す部分正面図である。
【符号の説明】
【００２１】
１    器具本体
５    ケース
６    光源
１５    第１のカバー部材
１７    第２のカバー部材
【図１】
2010033829.tif 000003
【図２】
2010033829.tif 000004
【図３】
2010033829.tif 000005